(57)【特許請求の範囲】
【請求項１】
乳幼児を保持しつつ運搬するためのベビーキャリアであって、
乳幼児を収容するキャリア本体と、
前記キャリア本体に設けられた、乳幼児の頭部を支持するためのヘッドサポートと、
前記ヘッドサポートの先端部において乳幼児の頭頂部側に起立可能に設けられた、乳幼児の頭頂部を保護するためのヘッドガードと、
を備えたベビーキャリア。
【請求項２】
乳幼児を保持しつつ運搬するためのベビーキャリアにおいて、
乳幼児の腹部，股部および背部をそれぞれ支持するための前当て部，幅の狭い股当て部および背当て部を一体に形成してなり、ベビーキャリアの組立時には、前記前当て部が前記背当て部側に折り返された状態が保持されて前記股当て部が袋状に構成されるキャリア本体と、
前記キャリア本体に設けられた肩掛けベルトと、
前記背当て部に設けられた、乳幼児の頭部を支持するためのヘッドサポートと、
前記ヘッドサポートの先端部において乳幼児の頭頂部側に起立可能に設けられた、乳幼児の頭頂部を保護するためのヘッドガードと、
を備えたベビーキャリア。
【請求項３】
乳幼児を保持しつつ運搬するためのベビーキャリアにおいて、
乳幼児の腹部，股部および背部をそれぞれ支持するための前当て部，幅の狭い股当て部および背当て部を一体に形成してなるキャリア本体を有し、
前記背当て部の左右両端部には、上方に延びる一対の肩掛けベルトが設けられるとともに、その各先端部にはそれぞれ第１のベルト部材を介して第１のバックルが設けられ、
前記前当て部の左右両端部には、前記各第１のバックルがそれぞれ係脱自在に係合し得る第２のバックルが第２のベルト部材を介して設けられており、
前記前当て部の左右両側方には、それぞれ第３のベルト部材を介してフック部材が設けられ、
前記背当て部には、前記各フック部材がそれぞれ係脱自在に係合し得る少なくとも一対の環状部材が設けられており、
前記背当て部には、乳幼児の頭部を支持するためのヘッドサポートが設けられるとともに、
前記ヘッドサポートの先端部には、乳幼児の頭頂部側に起立可能に設けられた、乳幼児の頭頂部を保護するためのヘッドガードが設けられている、
ことを特徴とするベビーキャリア。
【請求項４】
前記ヘッドサポートが、前記キャリア本体または背当て部に着脱自在に設けられている、
ことを特徴とする請求項１ないし３のいずれかに記載のベビーキャリア。
【請求項５】
前記ヘッドサポートの外側には、子守者の手を案内するためのベルト片が設けられている、
ことを特徴とする請求項１ないし３のいずれかに記載のベビーキャリア。
【請求項６】
前記ヘッドガードは、実質的に凸状または凹状に湾曲する取付面を介して前記ヘッドサポートの背面側に固定されており、前記ヘッドサポートの乳幼児頭部側に折り返されたときに起立してその起立状態を維持するようになっている、
ことを特徴とする請求項１ないし３のいずれかに記載のベビーキャリア。
【請求項７】
前記ヘッドガードが前記ヘッドサポートに着脱自在に設けられており、前記ヘッドガードの前記ヘッドサポートへの装着時には、前記ヘッドガードが前記ヘッドサポートの乳幼児頭部側で起立状態を維持しており、あるいは、実質的に凸状または凹状に湾曲する取付面を介して前記ヘッドサポートの背面側に取り付けられるとともに、前記ヘッドガードが前記ヘッドサポートの乳幼児頭部側に折り返されたときに起立してその起立状態を維持するようになっている、
ことを特徴とする請求項１ないし３のいずれかに記載のベビーキャリア。
【請求項８】
前記ヘッドガードが、乳幼児の頭頂部側に配置された吸汗性の第１のクッション材と、その外側に配置され、外部からの衝撃を吸収するための第２のクッション材と、これらの間に挿入された心材とを有している、
ことを特徴とする請求項１ないし３のいずれかに記載のベビーキャリア。
【請求項９】
前記ヘッドサポートおよびヘッドガードの少なくともいずれか一方がエアクッション構造を有しており、前記エアクッション構造が、所定の空間領域からなる空気溜まりと、前記空気溜まりを囲む領域に設けられ、衝撃によって前記空気溜まりが変形した際に前記空気溜まりからの空気を漏出させることにより衝撃を吸収する衝撃吸収領域とから構成されている、
ことを特徴とする請求項１ないし３のいずれかに記載のベビーキャリア。
【請求項１０】
前記衝撃吸収領域が、前記空気溜まりに連通する逃がし孔を有している、
ことを特徴とする請求項９に記載のベビーキャリア。
【請求項１１】
前記衝撃吸収領域が、前記空気溜まりに連通する切欠きを有している、
ことを特徴とする請求項９に記載のベビーキャリア。
【請求項１２】
前記衝撃吸収領域が多孔質材料から構成されている、
ことを特徴とする請求項９に記載のベビーキャリア。
【請求項１３】
前記ヘッドサポートおよびヘッドガードの少なくともいずれか一方がエアクッション構造を有しており、
前記エアクッション構造が、複数の貫通孔を有する第１のクッション材と、前記第１のクッション材の両側に配置され、前記第１のクッション材の各貫通孔と連通しかつ互いに対向していない複数の貫通孔をそれぞれ有する第２，第３のクッション材とから構成されている、
ことを特徴とする請求項１ないし３のいずれかに記載のベビーキャリア。
【請求項１４】
乳幼児を保持しつつ運搬するためのベビーキャリアに着脱自在に設けられるベビーキャリア用ヘッドサポートであって、
乳幼児の頭部を支持するためのヘッドサポート本体と、
前記ヘッドサポート本体の先端部において乳幼児の頭頂部側に起立可能に設けられた、乳幼児の頭頂部を保護するためのヘッドガードと、
を備えたベビーキャリア用ヘッドサポート。
【請求項１５】
前記ヘッドサポート本体の外側には、子守者の手を案内するためのベルト片が設けられている、
ことを特徴とする請求項１４に記載のベビーキャリア用ヘッドサポート。
【請求項１６】
前記ヘッドガードが、実質的に凸状または凹状に湾曲する取付面を介して前記ヘッドサポート本体の背面側に固定されており、前記ヘッドサポート本体の乳幼児頭部側に折り返されたときに起立してその起立状態を維持するようになっている、
ことを特徴とする請求項１４に記載のベビーキャリア用ヘッドサポート。
【請求項１７】
前記ヘッドガードが前記ヘッドサポート本体に着脱自在に設けられており、前記ヘッドガードの前記ヘッドサポート本体への装着時には、前記ヘッドガードが前記ヘッドサポート本体の乳幼児頭部側で起立状態を維持しており、あるいは、実質的に凸状または凹状に湾曲する取付面を介して前記ヘッドサポート本体の背面側に取り付けられるとともに、前記ヘッドガードが前記ヘッドサポート本体の乳幼児頭部側に折り返されたときに起立してその起立状態を維持するようになっている、
ことを特徴とする請求項１４に記載のベビーキャリア用ヘッドサポート。
【請求項１８】
前記ヘッドガードが、乳幼児の頭頂部側に配置された吸汗性の第１のクッション材と、その外側に配置され、外部からの衝撃を吸収するための第２のクッション材と、これらの間に挿入された心材とを有している、
ことを特徴とする請求項１４に記載のベビーキャリア用ヘッドサポート。
【請求項１９】
前記ヘッドサポート本体およびヘッドガードの少なくともいずれか一方がエアクッション構造を有しており、前記エアクッション構造が、所定の空間領域からなる空気溜まりと、前記空気溜まりを囲む領域に設けられ、衝撃によって前記空気溜まりが変形した際に前記空気溜まりからの空気を漏出させることにより衝撃を吸収する衝撃吸収領域とから構成されている、
ことを特徴とする請求項１４に記載のベビーキャリア用ヘッドサポート。
【請求項２０】
前記衝撃吸収領域が、前記空気溜まりに連通する逃がし孔を有している、
ことを特徴とする請求項１９に記載のベビーキャリア用ヘッドサポート。
【請求項２１】
前記衝撃吸収領域が、前記空気溜まりに連通する切欠きを有している、
ことを特徴とする請求項１９に記載のベビーキャリア用ヘッドサポート。
【請求項２２】
前記衝撃吸収領域が多孔質材料から構成されている、
ことを特徴とする請求項１９に記載のベビーキャリア用ヘッドサポート。
【請求項２３】
前記ヘッドサポート本体およびヘッドガードの少なくともいずれか一方がエアクッション構造を有しており、
前記エアクッション構造が、複数の貫通孔を有する第１のクッション材と、前記第１のクッション材の両側に配置され、前記第１のクッション材の各貫通孔と連通しかつ互いに対向していない複数の貫通孔をそれぞれ有する第２，第３のクッション材とから構成されている、
ことを特徴とする請求項１４に記載のベビーキャリア用ヘッドサポート。
【発明の詳細な説明】
【０００１】
【発明の属する技術分野】
本発明は、乳幼児を保持しつつ運搬するためのベビーキャリア（子守帯）およびベビーキャリアに着脱自在に設けられるベビーキャリア用ヘッドサポートに関する。
【０００２】
【従来の技術およびその課題】
いわゆる横抱き・縦抱き兼用のベビーキャリアとして、図１７ないし図２０に示すようなものが従来より用いられている。これらの図は同一のベビーキャリアを示しており、各ベルトの連結状態を変えることにより、図１７および図１９に示すような横抱き用として、また図１８および図２０に示すような縦抱き用として用いられるようになっている。
【０００３】
このベビーキャリア１００は、乳幼児の頭部，背部をそれぞれ支持するための頭当て部１０２および背当て部１０３が一体に形成されたキャリア本体１０１を有している。キャリア本体１０１には、ベルトＡ〜Ｇが取り付けられている。
【０００４】
ベビーキャリア１００を横抱き用として用いる場合には、図１７に示すように、ベルトＣ先端をベルトＡにホックで留めるとともに、ベルトＧ先端のバックルをベルトＦ先端のバックルに連結する。次に、ベルトＡ先端のバックルをベルトＤ先端のバックルに連結することにより、肩掛けベルト１０４が構成される。
【０００５】
この状態から、キャリア本体１０１の上に乳幼児を載せ、肩掛けベルト１０４を子守者の一方の肩に斜め掛けにする（図１９参照）。次に、ベルトＥを子守者の腰の回りに巻き付け、ベルトＥ先端のバックルをベルトＢ先端のバックルに連結することにより構成されるウエストベルト１０５により、キャリア本体１０１を子守者の腰に保持させる。
【０００６】
一方、ベビーキャリア１００を縦抱き用として用いる場合には、図１８に示すように、ベルトＧ先端をベルトＡにホックで留めるとともに、ベルトＡ先端のバックルをベルトＤ先端のバックルに連結して、肩掛けベルト１０４′を構成する。
【０００７】
次に、キャリア本体１０１の上に乳幼児を載せた状態で、ベルトＢ，Ｃのバックル同士を連結することにより、乳幼児をキャリア本体１０１上に保持する。この状態から、肩掛けベルト１０４′を子守者の一方の肩に斜め掛けにする（図２０）。次に、ベルトＥを子守者の腰の回りに巻き付け、ベルトＥ先端のバックルをベルトＦ先端のバックルに連結することにより構成されるウエストベルト１０５′により、キャリア本体１０１を子守者の腰に保持させる。
【０００８】
前記従来のベビーキャリアでは、キャリア本体に取り付けられた複数本のベルトの連結状態を適宜変えることにより、横抱き用あるいは縦抱き用として用いており、横抱きおよび縦抱きの際のベルトの切替え操作が非常に面倒である。また、乳幼児を横抱きにした際、図１９に示すように、乳幼児はキャリア本体１０１上に単に載せられているだけなので、乳幼児が下方に脱落するおそれがある。
【０００９】
本発明は、このような従来の問題点を解消すべくなされたもので、横抱きおよび縦抱きの切替え操作を簡単に行うことができ、しかも、乳幼児が頭の方から下方に脱落するのを防止することができるベビーキャリアを提供することを目的とする。また本発明の他の目的は、横抱きおよび縦抱きの切替え操作を簡単に行うことができ、しかも、乳幼児を横抱きにした際に乳幼児が頭および脚の双方から下方に脱落するのを防止することができるベビーキャリアを提供することにある。さらに、本発明の別の目的は、乳幼児が頭の方から下方に脱落するのを防止することができるベビーキャリア用ヘッドサポートを提供することにある。
【００１０】
【課題を解決するための手段】
請求項１の発明に係るベビーキャリアは、乳幼児を保持しつつ運搬するためのベビーキャリアであって、乳幼児を収容するキャリア本体と、前記キャリア本体に設けられた、乳幼児の頭部を支持するためのヘッドサポートと、前記ヘッドサポートの先端部において乳幼児の頭頂部側に起立可能に設けられた、乳幼児の頭頂部を保護するためのヘッドガードとを備えたことを特徴としている。
【００１１】
請求項２の発明に係るベビーキャリアは、乳幼児を保持しつつ運搬するためのベビーキャリアにおいて、乳幼児の腹部，股部および背部をそれぞれ支持するための前当て部，幅の狭い股当て部および背当て部を一体に形成してなり、ベビーキャリアの組立時には、前記前当て部が前記背当て部側に折り返された状態が保持されて前記股当て部が袋状に構成されるキャリア本体と、前記キャリア本体に設けられた肩掛けベルトと、前記背当て部に設けられた、乳幼児の頭部を支持するためのヘッドサポートと、前記ヘッドサポートの先端部において乳幼児の頭頂部側に起立可能に設けられた、乳幼児の頭頂部を保護するためのヘッドガードとを備えたことを特徴としている。
【００１２】
請求項３の発明に係るベビーキャリアは、乳幼児を保持しつつ運搬するためのベビーキャリアにおいて、乳幼児の腹部，股部および背部をそれぞれ支持するための前当て部，幅の狭い股当て部および背当て部を一体に形成してなるキャリア本体を有し、前記背当て部の左右両端部には、上方に延びる一対の肩掛けベルトが設けられるとともに、その各先端部にはそれぞれベルト部材を介してバックルが設けられ、前記前当て部の左右両端部には、前記各バックルがそれぞれ係脱自在に係合し得るバックルがベルト部材を介して設けられており、前記前当て部の左右両側方には、それぞれベルト部材を介してフック部材が設けられ、前記背当て部には、前記各フック部材がそれぞれ係脱自在に係合し得る少なくとも一対の環状部材が設けられており、前記背当て部には、乳幼児の頭部を支持するためのヘッドサポートが設けられるとともに、前記ヘッドサポートの先端部には、乳幼児の頭頂部側に起立可能に設けられた、乳幼児の頭頂部を保護するためのヘッドガードが設けられていることを特徴としている。
【００１３】
請求項４の発明に係るベビーキャリアは、請求項１ないし３のいずれかにおいて、前記ヘッドサポートが前記キャリア本体または背当て部に着脱自在に設けられていることを特徴としている。
【００１４】
請求項５の発明に係るベビーキャリアは、請求項１ないし３のいずれかにおいて、子守者の手を案内するためのベルト片が前記ヘッドサポートの外側に設けられていることを特徴としている。
【００１５】
請求項６の発明に係るベビーキャリアは、請求項１ないし３のいずれかにおいて、前記ヘッドガードが、実質的に凸状または凹状に湾曲する取付面を介して前記ヘッドサポートの背面側に固定されており、前記ヘッドサポートの乳幼児頭部側に折り返されたときに起立してその起立状態を維持するようになっていることを特徴としている。
【００１６】
請求項７の発明に係るベビーキャリアは、請求項１ないし３のいずれかにおいて、前記ヘッドガードが前記ヘッドサポートに着脱自在に設けられており、前記ヘッドガードの前記ヘッドサポートへの装着時には、前記ヘッドガードが前記ヘッドサポートの乳幼児頭部側で起立状態を維持しており、あるいは、実質的に凸状または凹状に湾曲する取付面を介して前記ヘッドサポートの背面側に取り付けられるとともに、前記ヘッドガードが前記ヘッドサポートの乳幼児頭部側に折り返されたときに起立してその起立状態を維持するようになっていることを特徴としている。
【００１７】
請求項８の発明に係るベビーキャリアは、請求項１ないし３のいずれかにおいて、前記ヘッドガードが、乳幼児の頭頂部側に配置された吸汗性の第１のクッション材と、その外側に配置され、外部からの衝撃を吸収するための第２のクッション材と、これらの間に挿入された心材とを有していることを特徴としている。
【００１８】
請求項９の発明に係るベビーキャリアは、請求項１ないし３のいずれかにおいて、前記ヘッドサポートおよびヘッドガードの少なくともいずれか一方がエアクッション構造を有しており、前記エアクッション構造が、所定の空間領域からなる空気溜まりと、前記空気溜まりを囲む領域に設けられ、衝撃によって前記空気溜まりが変形した際に前記空気溜まりからの空気を漏出させることにより衝撃を吸収する衝撃吸収領域とから構成されていることを特徴としている。
【００１９】
請求項１０の発明に係るベビーキャリアは、請求項９において、前記衝撃吸収領域が、前記空気溜まりに連通する逃がし孔を有していることを特徴としている。
【００２０】
請求項１１の発明に係るベビーキャリアは、請求項９において、前記衝撃吸収領域が、前記空気溜まりに連通する切欠きを有していることを特徴としている。
【００２１】
請求項１２の発明に係るベビーキャリアは、請求項９において、前記衝撃吸収領域が多孔質材料から構成されていることを特徴としている。
【００２２】
請求項１３の発明に係るベビーキャリアは、請求項１ないし３のいずれかにおいて、前記ヘッドサポートおよびヘッドガードの少なくともいずれか一方がエアクッション構造を有しており、前記エアクッション構造が、複数の貫通孔を有する第１のクッション材と、前記第１のクッション材の両側に配置され、前記第１のクッション材の各貫通孔と連通しかつ互いに対向していない複数の貫通孔をそれぞれ有する第２，第３のクッション材とから構成されていることを特徴としている。
【００２３】
請求項１４の発明に係るベビーキャリア用ヘッドサポートは、乳幼児を保持しつつ運搬するためのベビーキャリアに着脱自在に設けられるベビーキャリア用ヘッドサポートであって、乳幼児の頭部を支持するためのヘッドサポート本体と、前記ヘッドサポート本体の先端部において乳幼児の頭頂部側に起立可能に設けられた、乳幼児の頭頂部を保護するためのヘッドガードとを備えたことを特徴としている。
【００２４】
請求項１５の発明に係るベビーキャリア用ヘッドサポートは、請求項１４において、子守者の手を案内するためのベルト片が前記ヘッドサポート本体の外側に設けられていることを特徴としている。
【００２５】
請求項１６の発明に係るベビーキャリア用ヘッドサポートは、請求項１４において、前記ヘッドガードが、実質的に凸状または凹状に湾曲する取付面を介して前記ヘッドサポート本体の背面側に固定されており、前記ヘッドサポート本体の乳幼児頭部側に折り返されたときに起立してその起立状態を維持するようになっていることを特徴としている。
【００２６】
請求項１７の発明に係るベビーキャリア用ヘッドサポートは、請求項１４において、前記ヘッドガードが前記ヘッドサポート本体に着脱自在に設けられており、前記ヘッドガードの前記ヘッドサポート本体への装着時には、前記ヘッドガードが前記ヘッドサポート本体の乳幼児頭部側で起立状態を維持しており、あるいは、実質的に凸状または凹状に湾曲する取付面を介して前記ヘッドサポート本体の背面側に取り付けられるとともに、前記ヘッドガードが前記ヘッドサポート本体の乳幼児頭部側に折り返されたときに起立してその起立状態を維持するようになっていることを特徴としている。
【００２７】
請求項１８の発明に係るベビーキャリア用ヘッドサポートは、請求項１４において、前記ヘッドガードが、乳幼児の頭頂部側に配置された吸汗性の第１のクッション材と、その外側に配置され、外部からの衝撃を吸収するための第２のクッション材と、これらの間に挿入された心材とを有していることを特徴としている。
【００２８】
請求項１９の発明に係るベビーキャリア用ヘッドサポートは、請求項１４において、前記ヘッドサポート本体およびヘッドガードの少なくともいずれか一方がエアクッション構造を有しており、前記エアクッション構造が、所定の空間領域からなる空気溜まりと、前記空気溜まりを囲む領域に設けられ、衝撃によって前記空気溜まりが変形した際に前記空気溜まりからの空気を漏出させることにより衝撃を吸収する衝撃吸収領域とから構成されていることを特徴としている。
【００２９】
請求項２０の発明に係るベビーキャリア用ヘッドサポートは、請求項１９において、前記衝撃吸収領域が、前記空気溜まりに連通する逃がし孔を有していることを特徴としている。
【００３０】
請求項２１の発明に係るベビーキャリア用ヘッドサポートは、請求項１９において、前記衝撃吸収領域が、前記空気溜まりに連通する切欠きを有していることを特徴としている。
【００３１】
請求項２２の発明に係るベビーキャリア用ヘッドサポートは、請求項１９において、前記衝撃吸収領域が多孔質材料から構成されていることを特徴としている。
【００３２】
請求項２３の発明に係るベビーキャリア用ヘッドサポートは、請求項１４において、前記ヘッドサポート本体およびヘッドガードの少なくともいずれか一方がエアクッション構造を有しており、前記エアクッション構造が、複数の貫通孔を有する第１のクッション材と、前記第１のクッション材の両側に配置され、前記第１のクッション材の各貫通孔と連通しかつ互いに対向していない複数の貫通孔をそれぞれ有する第２，第３のクッション材とから構成されていることを特徴としている。
【００３３】
第１の発明に係るベビーキャリアを使用する際には、まず、キャリア本体内に乳幼児を収容して、該キャリア本体に乳幼児を保持させる。次に、ヘッドサポート先端部のヘッドガードを起立させる。この場合には、ベビーキャリアが横抱き用として用いられる。このとき、乳幼児の後頭部はヘッドサポートにより支持され、頭頂部はヘッドガードにより保護されている。この起立状態のヘッドガードにより、乳幼児が頭の方から下方に脱落するのを防止できる。
【００３４】
次に、ベビーキャリアを縦抱き用として用いる場合には、ヘッドサポート先端部のヘッドガードを起立させない状態におく。すなわち、ヘッドガードをヘッドサポートの背面側に折り返した状態におくか、あるいはヘッドガードをヘッドサポートから取り外す。このとき、乳幼児の後頭部は、ヘッドサポートにより支持されている。
【００３５】
次に、縦抱き用のベビーキャリアを横抱き用に切り替える際には、ヘッドガードを起立状態におく。すなわち、背面側に折り返されたヘッドガードを起立させるか、あるいは取り外されていたヘッドガードをヘッドサポートに取り付けてヘッドガードを起立させる。またこれとは逆に、横抱き用のベビーキャリアを縦抱き用に切り替える際には、起立していたヘッドガードを背面側に折り返すか、あるいはヘッドガードを取り外すようにすればよい。
【００３６】
このように第１の発明によれば、乳幼児を横抱きにした際に乳幼児が頭の方から下方に脱落するのを防止できるとともに、横抱きおよび縦抱きの切替え操作をヘッドガードの操作のみで簡単に行えるようになる。
【００３７】
第２の発明に係るベビーキャリア内に乳幼児を収容する際には、まず、キャリア本体の上に乳幼児を載せる。この状態から、前当て部を乳幼児の腹部側に折り返し、股当て部を袋状に構成する。これにより、ベビーキャリアが組み立てられる。
【００３８】
このベビーキャリアの組立時には、袋状の股当て部により、乳幼児の股部が確実に保持されているので、ベビーキャリアの使用時に乳幼児が脚の方から下方に落下するのを防止できる。
【００３９】
次に、ベビーキャリアを横抱き用として用いる場合には、ヘッドサポート先端部のヘッドガードを起立させた状態で、肩掛けベルトを子守者の一方の肩に斜め掛けにすればよい。このとき、乳幼児の後頭部はヘッドサポートにより支持され、頭頂部はヘッドガードにより保護されている。この起立状態のヘッドガードにより、乳幼児が頭の方から下方に落下するのを防止できる。
【００４０】
また、ベビーキャリアを縦抱き用として用いる場合には、ヘッドサポート先端部のヘッドガードを起立させない状態におく。すなわち、ヘッドガードをヘッドサポートの背面側に折り返した状態におくか、あるいはヘッドガードをヘッドサポートから取り外す。この状態から、肩掛けベルトを子守者の肩にたすき掛けにすればよい。このとき、乳幼児の後頭部は、ヘッドサポートにより支持されている。
【００４１】
次に、縦抱き用のベビーキャリアを横抱き用に切り替える際には、背面側に折り返されたヘッドガードを起立させるか、あるいは、取り外されていたヘッドガードをヘッドサポートに取り付けてヘッドガードを起立させるだけでよく、またこれとは逆に、横抱き用のベビーキャリアを縦抱き用に切り替える際には、起立していたヘッドガードを背面側に折り返すか、あるいはヘッドガードを取り外すようにすればよい。いずれの場合も、肩掛けベルトは、子守者の肩への掛け方を変えるだけでそのまま用いることができる。
【００４２】
このように第２の発明によれば、乳幼児を横抱きにした際に乳幼児が頭および脚の双方から下方に脱落するのを防止できるとともに、横抱きおよび縦抱きの切替え操作をヘッドガードの操作のみで簡単に行えるようになる。
【００４３】
第３の発明に係るベビーキャリア内に乳幼児を収容する際には、まず、キャリア本体の上に乳幼児を載せる。この状態から、前当て部を乳幼児の腹部側に折り返し、前当て部の両側方に設けられた各フック部材を、背当て部側の各々対応する環状部材に係合させる。これにより、股当て部が袋状に構成されて、股当て部内に乳幼児の股部が保持される。次に、肩掛けベルト側の各バックルを前当て部側の各バックルに係合させることにより、ベビーキャリアが組み立てられる。
【００４４】
このベビーキャリアの組立時には、上述のように、袋状の股当て部により乳幼児の股部が確実に保持されるので、ベビーキャリアの使用時に乳幼児が脚の方から下方に落下するのを防止できる。
【００４５】
次に、ベビーキャリアを横抱き用として用いる場合には、ヘッドサポート先端部のヘッドガードを起立させた状態で、各肩掛けベルトを束ねて子守者の一方の肩に斜め掛けにすればよい。このとき、乳幼児の後頭部はヘッドサポートにより支持され、頭頂部はヘッドガードにより保護されている。この起立状態のヘッドガードにより、乳幼児が頭の方から下方に落下するのを防止できる。
【００４６】
また、ベビーキャリアを縦抱き用として用いる場合には、ヘッドサポート先端部のヘッドガードを背面側に折り返した状態におくか、あるいはヘッドガードをヘッドサポートから取り外す。この状態で、各肩掛けベルトを子守者の肩にたすき掛けにすればよい。このとき、乳幼児の後頭部は、ヘッドサポートにより支持されている。
【００４７】
次に、縦抱き用のベビーキャリアを横抱き用に切り替える際には、背面側に折り返されたヘッドガードを起立させるか、あるいは、取り外されていたヘッドガードをヘッドサポートに取り付けてヘッドガードを起立させるだけでよく、またこれとは逆に、横抱き用を縦抱き用に切り替える際には、起立していたヘッドガードを背面側に折り返すか、あるいはヘッドガードを取り外すようにすればよい。いずれの場合も、肩掛けベルトは、子守者の肩への掛け方を変えるだけでそのまま用いることができる。
【００４８】
このように第３の発明によれば、第２の発明の場合と同様に、乳幼児が頭および脚の双方から下方に脱落するのを防止できるとともに、横抱きおよび縦抱きの切替え操作をヘッドガードの操作のみで簡単に行えるようになる。
【００４９】
なお、ヘッドサポートは、キャリア本体または背当て部に着脱自在に設けられていてもよく、またその外側に、子守者の手を案内するためのベルト片が設けられていてもよい。
【００５０】
ヘッドガードは、実質的に凸状または凹状に湾曲する取付面を介してヘッドサポートの背面側に固定されていて、ヘッドサポートの乳幼児頭部側に折り返されたときに起立してその起立状態を維持するようになっているのが好ましい。これにより、横抱き時にこの起立したヘッドガードにより、乳幼児の頭頂部を保護できる。
【００５１】
ヘッドガードは、ヘッドサポートに着脱自在に設けられていてもよい。この場合には、横抱き時等のヘッドガードが必要なときに、ヘッドガードをヘッドサポートに取り付けるようにすればよい。
【００５２】
ヘッドガードのヘッドサポートへの装着時には、ヘッドガードがヘッドサポートの乳幼児頭部側で起立状態を維持するようになっている。あるいは、ヘッドガードは、実質的に凸状または凹状に湾曲する取付面を介してヘッドサポートの背面側に取り付けられるとともに、ヘッドサポートの乳幼児頭部側に折り返されることにより起立してその起立状態を維持するようになっている。
【００５３】
また、ヘッドガードは、乳幼児の頭頂部側に配置された吸汗性の第１のクッション材と、その外側に配置され、外部からの衝撃を吸収するための第２のクッション材と、これらの間に挿入された心材とを有しているのが好ましい。
【００５４】
ヘッドサポートおよびヘッドガードの少なくともいずれか一方は、エアクッション構造を有しているのが好ましく、このエアクッション構造は、所定の空間領域からなる空気溜まりと、空気溜まりを囲む領域に設けられ、衝撃によって空気溜まりが変形した際に空気溜まりからの空気を漏出させることにより衝撃を吸収する衝撃吸収領域とから構成されているのが好ましい。
【００５５】
衝撃吸収領域は、空気溜まりに連通する逃がし孔または切欠きを有しており、あるいは多孔質材料から構成されているのが好ましい。
【００５６】
ヘッドサポートおよびヘッドガードの少なくともいずれか一方は、エアクッション構造を有しているのが好ましく、このエアクッション構造は、複数の貫通孔を有する第１のクッション材と、第１のクッション材の両側に配置され、第１のクッション材の各貫通孔と連通しかつ互いに対向していない複数の貫通孔をそれぞれ有する第２，第３のクッション材とから構成されているのが好ましい。
【００５７】
この場合には、第２，第３のクッション材の各貫通孔が互いに対向していないことにより、ヘッドサポートまたはヘッドガードに衝撃荷重が作用して、第１のクッション材が変形した際に、第１のクッション材の貫通孔から第２，第３のクッション材の貫通孔に漏出する空気の流れに抵抗が生じ、その結果、外部からの衝撃荷重を効果的に吸収できる。
【００５８】
次に、本発明に係るベビーキャリア用ヘッドサポートにおいては、ヘッドサポート本体の先端部にヘッドガードが設けられるので、このヘッドガードを起立させることにより、ヘッドサポートを横抱き用として用いることができる。このとき、乳幼児の後頭部はヘッドサポートにより支持され、頭頂部はヘッドガードにより保護されている。この起立状態のヘッドガードにより、乳幼児が頭の方から下方に落下するのを防止できる。
【００５９】
また、ヘッドサポートを縦抱き用として用いる場合には、ヘッドガードを起立させない状態におく。すなわち、ヘッドガードをヘッドサポートの背面側に折り返した状態におくか、あるいはヘッドガードをヘッドサポートから取り外す。このとき、乳幼児の後頭部は、ヘッドサポートにより支持されている。
【００６０】
次に、ヘッドサポートを縦抱き用から横抱き用に切り替える際には、ヘッドガードを起立状態におく。すなわち、背面側に折り返されたヘッドガードを起立させるか、あるいは、取り外されていたヘッドガードをヘッドサポートに取り付けてヘッドガードを起立させる。またこれとは逆に、ヘッドサポートを横抱き用から縦抱き用に切り替える際には、起立していたヘッドガードを背面側に折り返すか、あるいはヘッドガードを取り外すようにすればよい。
【００６１】
このように本発明に係るベビーキャリア用ヘッドサポートによれば、乳幼児を横抱きにした際に乳幼児が頭の方から下方に脱落するのを防止できるとともに、横抱きおよび縦抱きの切替え操作をヘッドガードの操作のみで簡単に行えるようになる。
【００６２】
なお、ヘッドサポートの外側には、子守者の手を案内するためのベルト片が設けられていてもよい。
【００６３】
ヘッドガードは、実質的に凸状または凹状に湾曲する取付面を介してヘッドサポート本体の背面側に固定されていて、ヘッドサポート本体の乳幼児頭部側に折り返されたときに起立してその起立状態を維持するようになっているのが好ましい。これにより、横抱き時にこの起立したヘッドガードにより、乳幼児の頭頂部を保護できる。
【００６４】
ヘッドガードは、ヘッドサポート本体に着脱自在に設けられていてもよい。この場合には、横抱き時等のヘッドガードが必要なときに、ヘッドガードをヘッドサポート本体に取り付けるようにすればよい。
【００６５】
ヘッドガードのヘッドサポート本体への装着時には、ヘッドガードがヘッドサポート本体の乳幼児頭部側で起立状態を維持するようになっている。あるいは、ヘッドガードは、実質的に凸状または凹状に湾曲する取付面を介してヘッドサポート本体の背面側に取り付けられるとともに、ヘッドサポート本体の乳幼児頭部側に折り返されることにより起立してその起立状態を維持するようになっている。
【００６６】
また、ヘッドガードは、乳幼児の頭頂部側に配置された吸汗性の第１のクッション材と、その外側に配置され、外部からの衝撃を吸収するための第２のクッション材と、これらの間に挿入された心材とを有しているのが好ましい。
【００６７】
ヘッドサポート本体およびヘッドガードの少なくともいずれか一方は、エアクッション構造を有しているのが好ましく、このエアクッション構造は、所定の空間領域からなる空気溜まりと、空気溜まりを囲む領域に設けられ、衝撃によって空気溜まりが変形した際に空気溜まりからの空気を漏出させることにより衝撃を吸収する衝撃吸収領域とから構成されているのが好ましい。
【００６８】
衝撃吸収領域は、空気溜まりに連通する逃がし孔または切欠きを有しており、あるいは多孔質材料から構成されているのが好ましい。
【００６９】
ヘッドサポート本体およびヘッドガードの少なくともいずれか一方は、エアクッション構造を有しているのが好ましく、このエアクッション構造は、複数の貫通孔を有する第１のクッション材と、第１のクッション材の両側に配置され、第１のクッション材の各貫通孔と連通しかつ互いに対向していない複数の貫通孔をそれぞれ有する第２，第３のクッション材とから構成されているのが好ましい。
【００７０】
この場合には、第２，第３のクッション材の各貫通孔が互いに対向していないことにより、ヘッドサポート本体またはヘッドガードに衝撃荷重が作用して、第１のクッション材が変形した際に、第１のクッション材の貫通孔から第２，第３のクッション材の貫通孔に漏出する空気の流れに抵抗が生じ、その結果、外部からの衝撃荷重を効果的に吸収できる。
【００７１】
【発明の実施の形態】
以下、本発明の実施態様を添付図面に基づいて説明する。
図１ないし図１５は本発明の一実施態様によるベビーキャリアを説明するための図であって、図１はベビーキャリアの展開状態の表面図（外側正面図）、図２はその裏面図（内側正面図）、図３ないし図５はヘッドサポートおよびヘッドガードの側面図であって、ヘッドガードの使用方法を説明するための図、図６はヘッドガードの内部構造を示す図、図７はヘッドサポートの内部構造を示す図、図８は図７の第１の変形例を示す拡大図、図９は図７の第２の変形例を示す拡大図、図１０は図７の第３の変形例を示す拡大図、図１１は図７の第４の変形例を示す拡大図、図１２はベビーキャリア内に乳幼児を収容した状態を示す斜視図、図１３はベビーキャリアを縦抱き用として用いた場合の使用例を示す斜視図、図１４は組み立てられたベビーキャリアを横抱き用にした状態を示す図、図１５はベビーキャリアを横抱き用として用いた場合の使用例を示す斜視図である。
【００７２】
図１および図２に示すように、ベビーキャリア１はキャリア本体２を有しており、該キャリア本体２は、乳児の腹部，股部および背部をそれぞれ支持するための前当て部３，幅の狭い股当て部４および背当て部５を一体に連設して形成されている。
【００７３】
背当て部５の上部左右端には、上方に延びる肩掛けベルト６，７の下端が連結されている。肩掛けベルト６，７上には、同様に上方に延びるベルト部材１０，１１が縫合されている。ベルト部材１０，１１は肩掛けベルト６，７の上端を越えてさらに上方に延びており、その各先端部にはワンタッチバックル１２，１３が取り付けられている。
【００７４】
ベルト部材１０，１１は、背当て部５の左右端面に沿って下方に延びるとともに、股当て部４の中央部で交差してさらに前当て部３の下方まで延びており、ベルト部材１０，１１のキャリア本体２内の部分は、キャリア本体２上に縫合されている。なお、ベルト部材１０，１１は、必ずしもキャリア本体２内に配設されていなくてもよい。
【００７５】
ベルト部材１０，１１の各下端部には、カバー付ワンタッチバックル２０，２１が取り付けられている。カバー付ワンタッチバックル２０，２１は、ワンタッチバックル１２，１３とそれぞれ着脱自在に係合し得るワンタッチバックル２２，２３と、ワンタッチバックル２２，２３の各操作部を覆う開閉可能なカバー２４，２５とから構成されている。
【００７６】
前当て部３の下部には、左右両側方に延びるベルト部材３０が連結されている。ベルト部材３０の各端部にはフック部材３１，３２が取り付けられている。これらのフック部材３１，３２は、背当て部５上に取り付けられたＤ字状の環状部材２８，２９または２８′，２９′にそれぞれ係脱自在に係合し得るようになっている。
【００７７】
これらの環状部材のうち、環状部材２８，２９はベビーキャリア１を主に横抱き用として用いる場合に、また環状部材２８′，２９′はベビーキャリア１を主に縦抱き用として用いる場合にそれぞれ使用される。なお、環状部材の個数は本実施態様に示すものには限定されず、横抱き用および縦抱き用としてそれぞれ複数対の環状部材を設けるようにしてもよい。
【００７８】
背当て部５の上部には、乳幼児の頭部を支持するためのヘッドサポート８が設けられている。ヘッドサポート８は、ヘッドサポート本体８ａと、その左右両側方に帯状に延びる帯状部８ｂとから構成されている。ヘッドサポート本体８ａの下部は、背当て部５に設けられたポケット１４の内部に挿入されており、該ポケット１４内の接着布（面ファスナ）１５に着脱自在に取り付けられている。また、ヘッドサポート本体８ａには、ベビーキャリア１を横抱き用として使用した際に子守者の手を案内するためのベルト片３５が取り付けられている。
【００７９】
各帯状部８ｂの端部には、ホック１６，１７および１８，１９がそれぞれ取り付けられている。ホック１６，１７は、肩掛けベルト６に取り付けられたホック２６，２７にそれぞれ係脱自在に係合し得るようになっており、ホック１８，１９は、肩掛けベルト７に取り付けられたホック２８，２９にそれぞれ係脱自在に係合し得るようになっている。なお、各ホック２６ないし２９は背当て部５の上部左右端に取り付けるようにしてもよい。
【００８０】
ヘッドサポート８の上部には、乳幼児の頭頂部を保護するための概略半円状のヘッドガード９が設けられている。ヘッドガード９は、ヘッドサポート８の背面側（図１）に重ねられた状態で、その上部の凸状湾曲面９ａがヘッドサポート８の上部に縫合されており、このため、ヘッドガード９の縫合面は凸状に湾曲している。なお、この凸状湾曲面９ａは、厳密な湾曲面である必要はなく、多角形状の面であってもよい。
【００８１】
ここで、ヘッドサポート８およびヘッドガード９についてさらに詳細に説明する。
図３ないし図５は、背当て部５から取り外された状態のヘッドサポート８の側面図であって、これらの図において、ヘッドサポート本体８ａを挟んで左側のＡ側が乳幼児の頭部が配置される乳幼児側であり、右側のＢ側がヘッドサポート背面側である。図３はヘッドガード９がヘッドサポート背面側に折り畳まれた状態を、図５はヘッドガード９が乳幼児側に折り返されて起立した状態をそれぞれ示しており、図４はヘッドガード９がこれらの中間位置に配置された状態を示している。
【００８２】
ヘッドガード９を図３に示す折り畳み状態から図５に示す起立状態にするには、ヘッドガード９の下部を矢印方向（図３，図４参照）に徐々に持ち上げて、ヘッドガード９をＡ側に折り返せばよい。このＡ側に折り返された状態では、縫合面が凸状に湾曲していることにより、ヘッドガード９は図５に示すような起立状態を維持する。
【００８３】
ヘッドガード９は、図６に示すような内部構造を有している。同図中Ａ側は、ヘッドガード９を起立状態（図５）にした際に乳幼児の頭頂部が配置される側すなわち内側を示し、Ｂ側はこれとは逆側のヘッドガード外側を示している。
【００８４】
図６に示すように、ヘッドガード９は、硬い板状の心材４０を有している。心材４０の両側方には、Ａ側に吸汗性の（第１の）クッション材４１が、Ｂ側に衝撃吸収用の（第２の）クッション材４２が配置されている。なお、各クッション材４１，４２は同種の材料から構成するようにしてもよい。
【００８５】
ヘッドサポート８は、図７に示すように、たとえば発泡ポリウレタンから構成され、比較的小さな衝撃力を吸収するためのクッション材５１，５２，５３と、各クッション材５１，５２，５３の間にそれぞれ配置されるとともに、たとえば発泡ポリエチレンから構成され、比較的大きな衝撃力を吸収するためのクッション材５４，５５とからなる５層構造を有している。また、クッション材５３の外側には、心材５６が配置されている。
【００８６】
このような５層構造により、乳幼児の頭部を柔らかく支持することができるとともに、外部の種々の衝撃から乳幼児の頭部を効果的に保護できるようになる。
【００８７】
また、ヘッドサポート８の内部には、エアクッション構造が設けられている。このエアクッション構造は、クッション材５２に形成された複数の貫通孔５２ａと、クッション材５２の各貫通孔５２ａに対応してクッション材５４，５５にそれぞれ形成された小径の貫通孔５４ａ，５５ａとから構成されている。貫通孔５４ａ，５５ａはクッション材５２の貫通孔５２ａを介して連通しているが、互いに対向していない。
【００８８】
これにより、ヘッドサポート８に衝撃荷重が作用して各クッション材が変形したとき、クッション材５２の貫通孔５２ａからクッション材５４，５５の各貫通孔５４ａ，５５ａに漏出する空気の流れに抵抗が生じ、その結果、外部からの衝撃荷重をより効果的に吸収できる。
【００８９】
なお、ヘッドサポート８のエアクッション構造としては、図８ないし図１１に示すようなものであってもよい。これらの図に示す例では、図７の各クッション材５２，５４，５５を一体化したクッション材として、それぞれクッション材６０，７０，８０，９０を用いている。
【００９０】
図８の例では、クッション材６０の内部に空気溜まり６０ａが設けられるとともに、空気溜まり６０ａと連通する逃がし孔６０ｂが形成されている。また図９の例では、クッション材７０の内部に空気溜まり７０ａが設けられるとともに、この空気溜まり７０ａの両端部に切欠き７０ｂが形成されている。
【００９１】
図１０の例では、クッション材８０の内部に空気溜まり８０ａが設けられるとともに、その周囲に多孔性部材８１が環状に配設されている。また図１１の例では、クッション材９０の内部に空気溜まり９０ａが設けられるとともに、その周囲に多孔性部材９１が帯状に配設されている。
【００９２】
これらいずれの場合においても、衝撃荷重の作用によりクッション材が変形したとき、各空気溜まり６０ａ，７０ａ，８０ａ，９０ａ内の空気は、矢印方向に移動して、それぞれ逃がし孔６０ｂ，切欠き７０ｂ，多孔性部材８１，９１に漏出し、これにより、外部からの衝撃荷重を吸収できる。
【００９３】
なお、ヘッドガード９についても、図７ないし図１１に示すようなエアクッション構造を採用するようにしてもよい。
【００９４】
上述のように構成されるベビーキャリア１内に乳幼児を収容する際には、予めヘッドサポート８の帯状部８ｂ側の各ホック１６ないし１９を肩掛けベルト６，７側の各ホック２６ないし２９に係合させておく。この状態から、キャリア本体２上（図２側）に乳幼児を載せる。
【００９５】
次に、前当て部３を乳幼児の腹部側に折り返し、前当て部３の両側方に設けられた各フック部材３１，３２を、背当て部５側の各々対応する環状部材２８，２９または２８′，２９′に係合させる。これにより、股当て部４が袋状に構成され、股当て部４内に乳幼児の股部が保持されることになるので（図１２参照）、ベビーキャリア１の使用時に乳幼児が脚の方から下方に落下するのを防止できる。
【００９６】
なお、各フック部材３１，３２を背当て部５側の環状部材２８，２９または２８′，２９′のいずれに係合させるかは、以下の基準に従えばよい。
【００９７】
すなわち、ベビーキャリア１を縦抱き用として用いる場合には、各フック部材３１，３２を背当て部５上方の環状部材２８，２９に係合させる。この場合には、乳幼児のいわゆる股刳り部分（股当て部４を折り返したときの股当て部４の開口部分）を大きくでき、これにより、縦抱きにされた乳幼児の股関節を傷めることなく、乳幼児をキャリア本体２内に収容することができる。
【００９８】
また、ベビーキャリア１を横抱き用として用いる場合には、各フック部材３１，３２を背当て部５下方の環状部材２８′，２９′に係合させる。この場合には、横抱きにされた乳幼児の重心をキャリア本体２内の下方に配置でき、これにより、乳幼児をキャリア本体２内で安定して保持することができる。
【００９９】
次に、肩掛けベルト６，７側の各ワンタッチバックル１２，１３を前当て部３側の各カバー付バックル２０，２１に係合させる。このバックル係合時には、カバー付ワンタッチバックル２０，２１のカバー２４，２５をそれぞれ開けた状態で、各ワンタッチバックル２２，２３にワンタッチバックル１２，１３を係合させ、バックル係合後、各カバー２４，２５を閉じるようにすれよい。
【０１００】
このようにして、ベビーキャリア１が組み立てられ、該ベビーキャリア１内に乳幼児が収容されることになる（図１２参照）。
【０１０１】
次に、ベビーキャリア１を縦抱き用として用いる場合には、図１２に示す状態から、各肩掛けベルト６，７を子守者Ｐの両肩に掛ければよい（図１３参照）。このとき、ヘッドガード９は、ヘッドサポート８のＢ側（背面側）に折り返されており、乳幼児の後頭部はヘッドサポート８により支持されている。
【０１０２】
なお、この縦抱き時には、図１２に示す状態とは異なるが、肩掛けベルト６側のワンタッチバックル１２を前当て部３側のカバー付バックル２０に係合させ、肩掛けベルト７側のワンタッチバックル１３を前当て部３側のカバー付バックル２１に係合させることにより、各肩掛けベルト６，７をたすき掛けの状態にする方が好ましい。
【０１０３】
また、ベビーキャリア１を横抱き用として用いる場合には、図１２に示す状態から、ヘッドガード９を乳幼児側に折り返して起立させる（図３ないし図５参照）。このとき、上述のように、ヘッドガード９の縫合面が凸状に湾曲しているため、ヘッドガード９は図５および図１４に示すような起立状態を維持する。
【０１０４】
この状態から、各肩掛けベルト６，７を束ねて子守者Ｐの一方の肩に斜め掛けにすればよい（図１５参照）。このとき、乳幼児の後頭部はヘッドサポート８により支持され、頭頂部はヘッドガード９により保護されている。この起立状態のヘッドガード９により、乳幼児が頭の方から下方に落下するのを防止できる。
【０１０５】
なお、この横抱き時には、図１５に示すように、子守者Ｐがベルト片３５の内側に手を通して、乳幼児の頭をヘッドサポート８の下方から支持するようにしてもよい。
【０１０６】
また、上述のようにして組み立てられたベビーキャリア１を縦抱き用から横抱き用に切り替える際には、背面側に折り返されたヘッドガード９を起立させるだけでよく、またこれとは逆に、横抱き用を縦抱き用に切り替える際には、起立していたヘッドガード９を背面側に折り返せばよい。そして、いずれの場合も、肩掛けベルト６，７は、子守者の肩への掛け方を変えるだけでそのまま用いることができる。
【０１０７】
このように本実施態様によれば、横抱きおよび縦抱きの切替え操作を、ヘッドガード９の起立または折返しの操作のみで簡単に行えるようになる。
【０１０８】
〔他の実施態様１〕
前記実施態様では、ヘッドガード９がその上部に凸状湾曲面９ａを有し、該凸状湾曲面９ａがヘッドサポート８に縫合されているものを例にとって説明したが、本発明は、図１６に示すように、ヘッドガード９がその上部に凹状湾曲面９′ａを有し、該凹状湾曲面９′ａがヘッドサポート８の凹状湾曲面に縫合されているものにも同様に適用できる。
【０１０９】
すなわち、この場合においても、ヘッドガード９を乳幼児側に折り返した際にヘッドガード９の起立状態を維持できる。なお、図１６において、前記実施態様と同一符号は同一または相当部分を示している。また、この凹状湾曲面９′ａは実質的に凹状であればよく、多角形状面であってもよい。
【０１１０】
〔他の実施態様２〕
前記実施態様および前記他の実施態様１では、いずれもヘッドガード９がヘッドサポート８に固定されている例を示したが、本発明の適用はこれに限定されない。
【０１１１】
ヘッドガード９は、ホックや接着布（面ファスナ）等の係脱自在な手段を用いてヘッドサポート８に着脱自在に設けられていてもよい。この場合には、ヘッドガード９のヘッドサポート８への装着時に、ヘッドガード９が起立状態のままヘッドサポート８の乳幼児頭部側に取り付けられるようにすればよく、そして、ヘッドガード９が不要になれば、ヘッドサポート９から取り外すようにすればよい。
【０１１２】
あるいは、ヘッドガード９のヘッドサポート８への装着時には、実質的に凸状または凹状に湾曲する取付面を介してヘッドガード９がヘッドサポート８の背面側に取り付けられるようにすればよい。これにより、前記実施態様および前記他の実施態様１の場合と同様に、ヘッドサポート８の乳幼児頭部側に折り返されたときに、ヘッドガード９が起立してその起立状態を維持するようになる。
【０１１３】
〔他の実施態様３〕
前記実施態様では、キャリア本体として、前当て部，股当て部および背当て部が一体に形成されたものを例にとって説明したが、本発明の適用はこれに限定されない。
【０１１４】
たとえば、図１７ないし図２０に示すような、前当て部や股当て部のないキャリア本体から構成されるベビーキャリアにも同様に本発明を適用できる。すなわち、キャリア本体１０１の頭当て部１０２の部分に前記実施態様と同様のヘッドサポートを取り付けるようにすればよい。
【０１１５】
この場合には、横抱き時にヘッドガードを起立させることにより、乳幼児が頭の方から下方に脱落するのを防止することは可能であるが、乳幼児が脚の方から下方に脱落するおそれは依然として残っている。したがって、キャリア本体の好ましい態様としては、前記実施態様に示すように、キャリア本体の組立時に股当て部が袋状に構成されるものか、あるいは、キャリア本体の股当て部が予め袋状に構成されて固定された袋式のものである方がよい。また本発明は、その他種々の形態のベビーキャリアに適用可能である。
【０１１６】
【発明の効果】
以上詳述したように、第１の発明に係るベビーキャリアによれば、ヘッドガードを起立させることにより乳幼児の頭頂部が保護されるので、横抱き時に乳幼児が頭の方から下方に脱落するのを防止できる効果がある。また、横抱きおよび縦抱きの切替えがヘッドガードの操作のみで行えるので、切替え操作を簡単に行えるようになる効果がある。
【０１１７】
第２および第３の発明に係るベビーキャリアによれば、組立時に股当て部が袋状に構成されることにより乳幼児の股部が保持されるとともに、ヘッドガードにより乳幼児の頭頂部が保護されるので、横抱き時に乳幼児が頭および脚の双方から下方に脱落するのを防止できる効果がある。また、横抱きおよび縦抱きの切替えがヘッドガードの操作のみで行えるので、切替え操作を簡単に行えるようになる効果がある。
【０１１８】
また、本発明に係るベビーキャリア用ヘッドサポートによれば、ヘッドガードを起立可能に設けたので、とくに乳幼児を横抱きにした際に乳幼児が頭の方から下方に脱落するのを防止できるとともに、横抱きおよび縦抱きの切替え操作を簡単に行えるようになる効果がある。
【図面の簡単な説明】
【図１】本発明の一実施態様によるベビーキャリアの展開状態の表面図（外側正面図）。
【図２】展開状態のベビーキャリアの裏面図（内側正面図）。
【図３】ヘッドサポートおよびヘッドガードの側面図であって、ヘッドガードの使用方法を説明するための図。
【図４】ヘッドサポートおよびヘッドガードの側面図であって、ヘッドガードの使用方法を説明するための図。
【図５】ヘッドサポートおよびヘッドガードの側面図であって、ヘッドガードの使用方法を説明するための図。
【図６】ヘッドガードの内部構造を示す図。
【図７】ヘッドサポートの内部構造を示す図。
【図８】図７の第１の変形例を示す拡大図。
【図９】図７の第２の変形例を示す拡大図。
【図１０】図７の第３の変形例を示す拡大図。
【図１１】図７の第４の変形例を示す拡大図。
【図１２】ベビーキャリア内に乳幼児を収容した状態を示す斜視図。
【図１３】ベビーキャリアを縦抱き用として用いた場合の使用例を示す斜視図。
【図１４】組み立てられたベビーキャリアを横抱き用にした状態を示す図。
【図１５】ベビーキャリアを横抱き用として用いた場合の使用例を示す斜視図。
【図１６】ヘッドガードの変形例を示す図。
【図１７】横抱き用として使用する場合の従来のベビーキャリアにおけるベルト締結方法を説明するための図。
【図１８】縦抱き用として使用する場合の従来のベビーキャリアにおけるベルト締結方法を説明するための図。
【図１９】従来のベビーキャリアを横抱き用として使用した場合の使用例を示す図。
【図２０】従来のベビーキャリアを縦抱き用として使用した場合の使用例を示す図。
【符号の説明】
１        ベビーキャリア
２        キャリア本体
３        前当て部
４        股当て部
５        背当て部
６，７    肩掛けベルト
８        ヘッドサポート
９        ヘッドガード
９ａ      凸状湾曲面（縫合面）
９′ａ    凹状湾曲面（縫合面）
１０，１１      ベルト部材（第１，第２のベルト部材）
１２，１３      ワンタッチバックル（第１のバックル）
２０，２１      カバー付きワンタッチバックル（第２のバックル）
２８，２９      環状部材
２８′，２９′  環状部材
３０            ベルト部材（第３のベルト部材）
３１，３２      フック部材
３５    ベルト片
４０    心材
４１  （第１の）クッション材
４２  （第２の）クッション材
５１，５２，５３  クッション材
５４，５５        クッション材
５２ａ            貫通孔（空気溜まり）
５４ａ，５５ａ    貫通孔（逃がし孔）
６０，７０        クッション材
８０，９０        クッション材
６０ａ，７０ａ    空気溜まり
８０ａ，９０ａ    空気溜まり
６０ｂ            逃がし孔
７０ｂ            切欠き
８１，９１        多孔質部材
【図１】
0004138982.tif 000002
【図２】
0004138982.tif 000003
【図３】
0004138982.tif 000004
【図４】
0004138982.tif 000005
【図５】
0004138982.tif 000006
【図６】
0004138982.tif 000007
【図７】
0004138982.tif 000008
【図８】
0004138982.tif 000009
【図９】
0004138982.tif 000010
【図１０】
0004138982.tif 000011
【図１１】
0004138982.tif 000012
【図１２】
0004138982.tif 000013
【図１３】
0004138982.tif 000014
【図１４】
0004138982.tif 000015
【図１５】
0004138982.tif 000016
【図１６】
0004138982.tif 000017
【図１７】
0004138982.tif 000018
【図１８】
0004138982.tif 000019
【図１９】
0004138982.tif 000020
【図２０】
0004138982.tif 000021